(57)【要約】【課題】商品に無線タグが取付けられていることや、その無線タグにはどのようなデータが記憶されているのかを顧客に報知できるようにする。【解決手段】無線タグ読取装置本体８は、無線タグリーダ９で商品に取付けられた無線タグに記憶されている無線タグデータが読取られると、この無線タグデータに基づいて当該無線タグが取付けられている商品を特定可能な商品データを取得する。そして、この商品データに、当該商品データによって特定される商品に無線タグが取付けられていることを示すデータを付加して出力させる。【選択図】      図１
2005339352.tif 000002
【特許請求の範囲】
【請求項１】
商品に取付けられた無線タグに記憶されている無線タグデータを読取る無線タグデータ読取手段と、
この無線タグデータ読取手段により前記無線タグデータが読取られたか否かを判断する無線タグ読取判断手段と、
前記無線タグデータ読取手段により読取られた前記無線タグデータに基づいて当該無線タグが取付けられている商品を特定可能な商品データを取得する商品データ取得手段と、
前記商品データを出力する商品データ出力手段と、
前記無線タグ読取判断手段により前記無線タグデータが読取られたと判断されると、前記商品データ取得手段により取得した商品データに、当該商品データによって特定される商品に無線タグが取付けられていることを示すデータを付加して前記商品データ出力手段により出力させる出力制御手段と、
を具備したことを特徴とする無線タグ読取装置。
【請求項２】
前記無線タグデータ読取手段による無線タグの読取りを指示する読取指示手段を設け、
前記出力制御手段は、前記読取指示手段により読取指示がなされた後、所定時間経過後も前記無線タグ読取判断手段により前記無線タグデータが読取られたと判断されないと、商品に無線タグが取付けられていないことを示すデータを前記商品データ出力手段により出力させる手段を含むことを特徴とする請求項１記載の無線タグ読取装置。
【請求項３】
前記商品データ出力手段は表示部であり、
前記出力制御手段は、前記無線タグ読取判断手段により前記無線タグデータが読取られたと判断されると、前記商品データ取得手段により取得した商品データに、当該商品データによって特定される商品に前記無線タグが取付けられていることを示すデータを付加して前記表示部に表示させる手段であることを特徴とする請求項１または２記載の無線タグ読取装置。
【請求項４】
前記商品データ出力手段は印字部であり、
前記出力制御手段は、前記無線タグ読取判断手段により前記無線タグデータが読取られたと判断されると、前記商品データ取得手段により取得した商品データに、当該商品データによって特定される商品に前記無線タグが取付けられていることを示すデータを付加して前記印字部から印字出力させる手段であることを特徴とする請求項１または２記載の無線タグ読取装置。
【請求項５】
前記商品に無線タグが取付けられていることを示すデータは、このデータとともに出力される商品データによって特定される商品に取付けられた無線タグに記憶された無線タグデータであることを特徴とする請求項１，３または４のいずれかに記載の無線タグ読取装置。
【発明の詳細な説明】
【技術分野】
【０００１】
本発明は、商品に取付けられた無線タグからデータを読取り処理する無線タグ読取装置に関する。
【背景技術】
【０００２】
近年、商品に無線タグを取付け、この無線タグのメモリに、当該無線タグが取付けられた商品に関するデータを記憶させる。そして、この無線タグに記憶されたデータを用いて商品管理を行ったり、商品の販売データを処理したりする様々な技術が提案されている。
【０００３】
例えば、無線タグから当該無線タグが取付けられている商品を識別する商品コードの応答を受けると、その商品コードに基づいて商品販売データを処理するとともに、この商品に取付けられた無線タグのデータを書換える商品販売データ処理装置があった（例えば、特許文献１参照）。
【０００４】
また、無線タグのメモリに、当該無線タグが取付けられている商品の賞味期限や製造年月日等の鮮度データを記憶させ、この無線タグから読取った鮮度データとシステム内の日時とから商品の値引または特典データを決定し、この値引または特典データを表示，印字出力する商品管理システムがあった（例えば、特許文献２参照）。
【特許文献１】特開平１０−１６２２４５号公報
【特許文献２】特開２００２−０８３３６９公報
【発明の開示】
【発明が解決しようとする課題】
【０００５】
しかし、これらの従来技術において、無線タグは、記憶されたデータがそのままかあるいは新しいデータに書換えられた後に、商品に取付けられた状態で顧客に渡されることになる。そして、顧客に渡された後も、無線タグリーダを使用すれば無線タグのメモリに記憶されているデータを読み出すことは可能であった。このため、次のような問題が生じるおそれがあった。
【０００６】
例えば、無線タグには商品コード以外にも店舗コード，販売金額，販売日等の種々のデータを記憶させることが可能である。そして、多くの顧客は、自宅に持ち帰った商品に無線タグが取付けられていることに気付かず、そのまま放置すると考えられる。このため、無線タグリーダを持ってその顧客の自宅周辺を歩けば、その家にはどのような商品があり、またその商品はいつ頃、どの店で、いくらで購入したのかが分かってしまうことになる。また、店の出入口等に無線タグリーダを設けることによって、来店した顧客が身につけている衣類やバッグ，装飾品等はいつ頃、どの店で、いくらで購入したものなのかを判別することができるようになる。
【０００７】
このようなことは、商品製造業者や商品販売業者にとっては、顧客の消費動向を掴むことができるので都合がよい。しかし、個人のプライバシー保護や個人データの保護という観点からすると甚だ問題である。
【０００８】
その一方で、顧客にとっても無線タグを取付けたままの方が都合がよい場合がある。例えば、無線タグリーダ付きの冷蔵庫を使用することにより、冷蔵庫内に収容された商品の自動認識や賞味期限の自動管理等が行えるようになる。また、購入した商品に取付けられている無線タグデータを、自宅のパソコンに接続された無線タグリーダで読取ることにより、購入した商品の販売価格，販売日等のデータをパソコンの家計簿ソフトに簡単に入力することができる。
【０００９】
したがって、商品に無線タグを取付けて販売する場合において問題となるのは、商品に無線タグが取付けられていることや、その無線タグにはどのようなデータが記憶されているのかを顧客が知らないで商品を購入してしまうこと、さらには無線タグが取付けられていることを知らずに購入した商品を持ち歩いたり使用したりしてしまうことである。
【００１０】
本発明はこのような事情に基づいてなされたもので、その目的とするところは、商品に無線タグが取付けられていることや、その無線タグにはどのようなデータが記憶されているのかを顧客に報知することができ、顧客の知らぬままに購入した商品に取付けられた無線タグから当該顧客の個人データが漏洩するのを未然に防ぐことができる無線タグ読取装置を提供しようとするものである。
【課題を解決するための手段】
【００１１】
本発明の無線タグ読取装置は、商品に取付けられた無線タグに記憶されている無線タグデータを読取る無線タグデータ読取手段と、この無線タグデータ読取手段により無線タグデータが読取られたか否かを判断する無線タグ読取判断手段と、無線タグデータ読取手段により読取られた無線タグデータに基づいて当該無線タグが取付けられている商品を特定可能な商品データを取得する商品データ取得手段と、商品データを出力する商品データ出力手段、例えば表示部あるいは印字部と、出力制御手段とを備える。そして、出力制御手段は、無線タグ読取判断手段により無線タグデータが読取られたと判断されると、商品データ取得手段により取得した商品データに、当該商品データによって特定される商品に無線タグが取付けられていることを示すデータ、例えばこのデータとともに出力される商品データによって特定される商品に取付けられた無線タグから読取られた無線タグデータを付加して商品データ出力手段により出力させるものである。
【発明の効果】
【００１２】
かかる手段を講じた本発明によれば、商品に無線タグが取付けられていることや、その無線タグにはどのようなデータが記憶されているのかを顧客に報知することができるので、顧客の知らぬままに購入した商品に取付けられた無線タグから当該顧客の顧客の個人データが漏洩するのを未然に防ぐことができるようになる。
【発明を実施するための最良の形態】
【００１３】
以下、本発明を実施するための最良な形態について、図面を用いて説明する。  
なお、この実施の形態は、衣料品等の商品を販売する販売店において、商品に無線タグが付されているか否か、付されている場合にはどのようなデータが記憶されているのかを顧客自身が確認するために店内に設置された無線タグ読取装置に本発明を適用した場合である。
【００１４】
図１は本実施の形態の販売店に構築されるシステム構成図であり、販売店にはストアサーバ１と、複数台のＰＯＳ端末２と、本発明に関わる無線タグ読取装置３とが設置されている。ストアサーバ１と各ＰＯＳ端末２と無線タグ読取装置３とは、ＬＡＮ（Local Area Network）４で接続されている。
【００１５】
ストアサーバ１には、商品マスタファイル５が設けられている。商品マスタファイル５には予め各商品の設定データが保存されている。商品設定データには、図２に示すように、商品を識別する商品コード、商品の属性を表わす属性コード、商品を特定する商品名、販売価格等の項目データが含まれている。
【００１６】
ＰＯＳ端末２は、商品コード入力手段により顧客が購入する販売商品の商品コードが入力されると、この商品コードによって識別される商品の商品名，販売価格等のデータを商品マスタファイル５から呼出し、このデータに基づいて販売商品の売上データを登録処理するものである。ここに、ストアサーバ１と各ＰＯＳ端末２とにより、販売時点の売上管理を行うＰＯＳシステムが構築されている。
【００１７】
ＰＯＳ端末２には、前記商品コード入力手段の一手段として無線タグリーダ６が接続されている。そして、図３に示すように、当該店舗で販売される衣料品等の商品の少なくとも一部、例えば、コートやジャケットのように比較的高額な商品には、万引等の盗難防止を図るために無線タグ７が取付けられている。
【００１８】
無線タグ７は、図４に示すように、アンテナ７１とＩＣチップ７２とを札状の基板（不図示）に一体成形した独立の部品である。アンテナ７１は、矩形状に成形されたループアンテナ等である。ＩＣチップ７２は、アンテナ７１で受信した無線タグリーダ６からの変調波の整流と安定化を行うことによりＩＣチップ７２の各部に電源を供給する電源生成部７３、上記変調波を復調して制御部７６へ送出する復調部７４、制御部７６から送出されたデータを変調してアンテナ７１に送出する変調部７５、復調部７４で復調されたデータをメモリ７７に書き込んだり、メモリ７７からデータを読み出して変調部７５へ送出したりする制御部７６、ＥＥＰＲＯＭ等の不揮発性の書換え可能なメモリ７７等で構成されている。
【００１９】
メモリ７７には、図３に示すように、当該無線タグ７の製造段階で製造業者により割当て設定された固有のＩＤが予め記憶されている。また、ユーザが任意のデータを書き込むことができるユーザエリア７７１が確保されている。本実施の形態では、ユーザエリア７７１にタグ種別コードとタグ付商品関連データとが記憶される。タグ種別コードは、無線タグ７の種類を識別するコードである。無線タグ７は、タグ付商品関連データの項目が異なる毎に別種として管理される。タグ付商品関連データの項目としては、当該無線タグ７が取付けられている商品の商品コード、販売価格、販売日、販売店の店舗コード等がある。この他、衣料品に取付けられる無線タグには、その衣料品のサイズや色等の項目が追加されたり、食品に取付けられる無線タグには、消費期限や製造年月日等の項目が追加されたりする場合がある。
【００２０】
無線タグ読取装置３は、コンピュータを主体に構成された装置本体８と、各ＰＯＳ端末２に接続されている無線タグリーダ６と同一構成の無線タグリーダ９とによって構成されている。無線タグ読取装置本体８と無線タグリーダ９の要部構成を図５のブロック図により示す。
【００２１】
無線タグ読取装置本体８は、主制御部を構成するＣＰＵ（Central Processing Unit）１０と、主記憶部を構成するＲＯＭ（Read Only Memory）１１及びＲＡＭ（Random Access Memory）１２と、不揮発性の補助記憶装置であるＨＤＤ（Hard Disk Drive）装置１３と、現在日時を計時する時計部１４と、ＬＡＮ４を介して行うデータ通信を制御するＬＡＮインターフェイス１５と、無線タグリーダ９とのデータ通信を制御する無線タグリーダインターフェイス２４とを搭載している。また、キーボードコントローラ１６、表示コントローラ１７、プリンタコントローラ１８、Ｉ／Ｏポート１９等を備えている。
【００２２】
キーボードコントローラ１６には、各種キーが配設されたキーボード２０が接続されている。表示コントローラ１７には、商品名等のデータを表示可能な表示部としてのディスプレイ２１が接続されている。プリンタコントローラ１８には、所定の記録紙に商品名等のデータを印字可能な印字部としてのプリンタ２２が接続されている。ディスプレイ２１とプリンタ２２は、商品データを出力する商品データ出力手段として機能する。
【００２３】
Ｉ／Ｏポート１９には、タッチパネルセンサ２３からの信号が入力される。タッチパネルセンサ２３は、ディスプレイ２１の画面上に設けられている。このタッチパネルセンサ２３とディスプレイ２１とによってタッチパネルが構成されている。
【００２４】
無線タグリーダ９は、無線タグ読取装置本体８との間でデータ信号を授受するインターフェイス部３０、無線タグ７への送信電波を変調する変調部３１、変調波を増幅してアンテナ３２から放射させる送信アンプ３３、アンテナ３２で受信した電波を増幅する受信アンプ３４、増幅された無線波を復調する復調部３５、無線タグ読取装置本体８からの指令に応じて無線タグ７への電波を発信させたり、無線タグ７から受信した電波に含まれるデータを解析して無線タグ読取装置本体８に送信したりする制御部３６等で構成されている。アンテナ３２は、複数の商品を同時に載置可能な商品台３７に埋設されており、この商品台３７の上方の交信距離内を無線タグ７との交信エリアとしている。無線タグリーダ９は、複数の商品に取付けられた無線タグ７に記憶されている無線タグデータ（ＩＤ，タグ種別コード，タグ付商品関連データ）をアンチコリジョン機能により一斉に読取ることができる。ここに、無線タグリーダ９は、商品に取付けられた無線タグに記憶されている無線タグデータを読取る無線タグデータ読取手段として機能する。
【００２５】
無線タグ読取装置本体８のＨＤＤ装置１３には、図６に示すデータ構造のタグフォーマットテーブル４０が保存されている。このタグフォーマットテーブル４０には、タグ種別コードと、当該種別コードによって識別される無線タグ７のユーザエリア７７１に記憶されているタグ付商品関連データの項目数が設定されている。また、タグ付商品関連データの項目毎に、一連の項目番号とデータサイズと項目名称とが設定されている。このようなタグフォーマットテーブル４０は、無線タグの種類毎に存在する。
【００２６】
無線タグ読取装置本体８のＲＡＭ１２には、図７に示すエリア構成のタグデータメモリ５０が形成されている。このタグデータメモリ５０には、無線タグリーダ９で読取られた無線タグ７のＩＤ，タグ種別コード及びタグ付商品関連データがそれぞれ書き込まれるエリアと、その無線タグ７が取付けられている商品を特定するデータとして商品名が書き込まれるエリアとが確保されている。
【００２７】
図８は無線タグ読取装置本体８のＣＰＵ１０が実行するメイン処理の要部手順を示す流れ図である。すなわちＣＰＵ１０は、システム立上げ後のアイドル状態として、ディスプレイ２１に例えば図９に示す画面レイアウトの商品読取開始画面Ｇ１を表示させる（ＳＴ１）。商品読取開始画面Ｇ１には、顧客が購入した商品を商品台３７の上に置いて、商品読取キーｋ１を操作することを指示するメッセージＭ１が表示されている。
【００２８】
この状態で、ＣＰＵ１０は、商品読取キーＫ１が入力されるのを待機する（ＳＴ２）。なお、商品読取キーＫ１は、図９に示すように、商品読取開始画面Ｇ１に表示させて、タッチ操作により入力させるものであってもよいし、キーボード２０に配置された所定のキーを商品読取キーｋ１として、キー操作により入力させるものであってもよい。
【００２９】
商品読取キーＫ１の入力を検知すると、ＣＰＵ１０は、無線タグリーダ９に対して無線タグ読取電波の発信を指令する（ＳＴ３）。この指令を受けた無線タグリーダ９は、アンテナ３２から無線タグ読取り電波を発信させる。このとき、商品台３７より上方の交信エリア内に無線タグ７が存在すると、この無線タグ７のメモリ７７に記憶されている無線タグデータが読取られ、無線タグ読取装置本体８に送出される。なお、複数の無線タグ７が交信エリア内に存在する場合には、無線タグデータが順番に読取られて無線タグ読取装置本体８に送出される。ここに、商品読取キーＫ１は、無線タグデータ読取手段（無線タグリーダ９）による無線タグ７の読取りを指示する読取指示手段を構成する。
【００３０】
無線タグ読取電波を発信後、ＣＰＵ１０は、無線タグリーダ９から無線タグデータが送られてくるのを待機する（ＳＴ４，ＳＴ５：無線タグ読取判断手段）。そして、無線タグリーダインターフェイス２４を介して無線タグデータが入力されたならば、ＣＰＵ１０は、入力された無線タグデータをＩＤ，タグ種別コード，タグ付商品関連コードに分割し、それぞれをタグデータメモリ５０の該当するエリアに格納する（ＳＴ６）。
【００３１】
次に、ＣＰＵ１０は、タグ種別コードエリアに格納したタグ種別コードを取得する（ＳＴ７）。そして、この取得したタグ種別コードでタグフォーマットテーブル４０を検索して、タグ付商品関連データに含まれる項目「商品コード」の位置（項目番号）とデータサイズを取得し、この位置とデータサイズの情報でタグ付商品関連データエリアに格納されたタグ付商品関連データを解析して商品コードを抽出する（ＳＴ８）。
【００３２】
次に、ＣＰＵ１０は、この抽出した商品コードでストアサーバ１に問合せを行ない、商品マスタファイル５から当該商品コードに対応して設定されている商品名データを呼出す。そして、この商品名データをタグデータメモリ５０の商品名エリアに当該無線タグデータと対応付けて格納する（ＳＴ９：商品データ取得手段）。
【００３３】
その後、ＣＰＵ１０は、次の無線タグデータが送られてきているか否かを判断する（ＳＴ１０）。そして、次の無線タグデータが送られてきている場合には、上記ＳＴ６〜ＳＴ９の処理を繰り返し実行する。
【００３４】
次の無線タグデータが送られてきていない場合には、ＣＰＵ１０は、ディスプレイ２１の画面を商品読取開始画面Ｇ１から例えば図１０に示す画面レイアウトのタグデータ通知画面Ｇ２に切換える（ＳＴ１０）。このタグデータ通知画面Ｇ２には、商品台３７に置かれた商品に無線タグ７が取付けられていること、及びその商品を特定する商品名と当該商品に取付けられた無線タグ７に記憶されている無線タグデータとを示すメッセージＭ２が表示される。なお、このメッセージＭ２において、商品名Ｍ２１と無線タグデータＭ２２は、タグデータメモリ５０に記憶されているデータである。また、無線タグデータの項目名称Ｍ２３は、タグフォーマットテーブル４０に設定されている項目名称データである。ここに、ＣＰＵ１０は、無線タグ読取判断手段（ＳＴ４，ＳＴ５）により無線タグデータが読取られたと判断されると、商品データ取得手段（ＳＴ８）により取得した商品データ（商品名データ）に、当該商品データによって特定される商品に無線タグ７が取付けられていることを示すデータＭ２を付加してディスプレイ２１により表示出力させる出力制御手段を構成する。
【００３５】
その後、ＣＰＵ１０は、終了キーＫ２または印字キーＫ３が入力されるのを待機する（ＳＴ１１，ＳＴ１２，ＳＴ１３）。なお、終了キーＫ２及び印字キーＫ３は、図１０に示すように、タグデータ通知画面Ｇ２に表示させて、タッチ操作により入力させるものであってもよいし、キーボード２０に配置された所定の２つのキーを終了キーＫ２及び印字キーＫ３として、キー操作により入力させるものであってもよい。
【００３６】
ここで、終了キーＫ２が入力されるか、予め設定された時間を経過しても終了キーＫ２または印字キーＫ３が入力されない場合には、ＣＰＵ１０は、タグデータメモリ５０をクリアして（ＳＴ１５）、アイドル状態に戻る。すなわち、ディスプレイ２１の画面をタグデータ通知画面Ｇ２から商品読取開始画面Ｇ１に戻す。
【００３７】
また、印字キーＫ３が入力された場合には、ＣＰＵ１０はプリンタ２２を動作させて、所定の記録紙にタグデータメモリ５０の内容を印字させる（ＳＴ１６）。このときの印字結果の一例を図１２に示す。図示するように、記録紙には、店名、現在日付及びタグデータメモリ５０の内容に加えて、商品台３７に置かれた商品に無線タグ７が取付けられていることを示すメッセージＭ４が印字される。ここに、ＣＰＵ１０は、無線タグ読取判断手段（ＳＴ４，ＳＴ５）により無線タグデータが読取られたと判断されると、商品データ取得手段（ＳＴ８）により取得した商品データ（商品名データ）に、当該商品データによって特定される商品に無線タグ７が取付けられていることを示すデータＭ４を付加して印字部（プリンタ２２）により印字出力させる出力制御手段を構成する。
【００３８】
タグデータメモリ５０の内容等を印字出力した後、ＣＰＵ１０は、タグデータメモリ５０をクリアして（ＳＴ１５）、アイドル状態に戻る。
【００３９】
一方、無線タグ読取電波を発信後（ＳＴ３）、予め設定された時間（ＳＴ１４の設定時間とは異なる時間）が経過しても無線タグデータが入力されない場合には、ＣＰＵ１０は、ディスプレイ２１の画面を商品読取開始画面Ｇ１から例えば図１１に示す画面レイアウトのタグ無し通知画面Ｇ３に切換える（ＳＴ１７）。このタグ無し通知画面Ｇ３には、商品台３７に置かれた商品に無線タグ７が取付けられていないことを示すメッセージＭ３が表示される。
【００４０】
その後、ＣＰＵ１０は、終了キーＫ４が入力されるのを待機する（ＳＴ１８，ＳＴ１９）。なお、終了キーＫ４は、図１１に示すように、タグ無し通知画面Ｇ３に表示させて、タッチ操作により入力させるものであってもよいし、キーボード２０に配置された所定のキーを終了キーｋ４として、キー操作により入力させるものであってもよい。
【００４１】
ここで、終了キーＫ４が入力されるか、予め設定された時間（ＳＴ１４の設定時間と同じ時間であってもよいし異なる時間であってもよい）を経過しても終了キーＫ４が入力されない場合には、ＣＰＵ１０は、アイドル状態に戻る。すなわち、ディスプレイ２１の画面をタグデータ通知画面Ｇ２から商品読取開始画面Ｇ１に戻す。
【００４２】
このように構成された本実施の形態の店舗において、今、顧客が商品「コートＡ」、商品「ジャケットＢ」及び商品「靴下Ｃ」の３品を購入したとする。ここで、商品「コートＡ」と商品「ジャケットＢ」には無線タグ７が取付けられており、商品「靴下Ｃ」には無線タグ７が取付けられていないものとする。また、商品「コートＡ」と商品「ジャケットＢ」に取付けられた無線タグ７のメモリ７７には、図６のタグフォーマットテーブル４０に設定されている項目（商品コード，店舗コード，販売価格，販売日）のデータがタグ付商品関連データとして記憶可能であり、予め商品コードは記憶されているものとする。
【００４３】
この場合、顧客は、先ず、ＰＯＳ端末２にて買上商品３品の会計を済ませる。これにより、商品「コートＡ」と商品「ジャケットＢ」の無線タグ７に、それぞれタグ付商品関連データとして店舗コードと販売価格と販売日が書き込まれる。次に、顧客は、無線タグ読取装置３の設置場所まで行き、会計を済ませた商品「コートＡ」，「ジャケットＢ」，「靴下Ｃ」を商品台３７に載せて、商品読取キーＫ１を操作する。すると、ディスプレイ２１の画面が、図９に示す商品読取開始画面Ｇ１から図１０に示すタグデータ通知画面Ｇ２に切換わる。
【００４４】
これにより、顧客は、商品「コートＡ」と商品「ジャケットＢ」に無線タグ７が取付けられていること、さらにその無線タグ７には、ＩＤ以外に商品コード，店舗コード，販売価格及び販売日が記憶されていることを確認することができる。また、商品「靴下Ｃ」には、無線タグ７が取付けられていないことも分かる。ここで、顧客が無線タグ７に記憶されている情報に問題がないと認識した場合には、商品をそのまま持ち帰る。これに対し、問題があると認識した場合には、例えば店員に申し出て無線タグ７を取外してもらうか、無線タグ７をデータ読取不能に破壊してもらった後、商品を持ち帰る。
【００４５】
また顧客は、図１０に示すタグデータ通知画面Ｇ２が表示された状態で印字キーＫ３を操作すると、図１２に示す内容の記録メモがプリンタ２２によって印字出力される。したがって、顧客は店を出た後でも記録メモを見ることで無線タグ７に記憶されている内容を確認することができる。
【００４６】
このように本実施の形態によれば、顧客が購入した商品に無線タグ７が取付けられているか否か、また取付けられている場合にはその無線タグ７にどのような情報が記憶されているのかを顧客に報知することができる。これにより、顧客は無線タグ７を取付けたまま商品を持ち帰るか、無線タグ７を取外したり破壊したりしてから商品を持ち帰るかを選択できるようになるので、顧客の知らぬままに、その顧客が購入した商品に取付けられた無線タグ７から当該顧客の個人データが漏洩するのを未然に防ぐことができる。
【００４７】
なお、上記実施の形態では、無線タグ７に商品コードを記憶しておき、無線タグリーダ９で読取った商品コードに基づいて商品マスタファイル５に問合せを行って該当する商品名データを取得するようにしたが、本発明はこの実施形態に限定されるものではなく、無線タグ７に商品コードとともに商品名データも記憶しておき、無線タグリーダ９で無線タグ７のデータを読取った後、この無線タグデータから商品名データを取得するようにして、商品マスタファイル５への問合せを不要にしてもよい。また、商品マスタファイル５をストアサーバ１に設けるのでなく、無線タグ読取装置本体８のＨＤＤ装置１３に設けてもよい。
【００４８】
また、上記実施の形態では、表示や印字を利用して顧客に無線タグ７が取付けられていることを報知したが、商品データ出力手段は表示及び印字に限定されるものではなく、例えば音声により顧客に報知するものであってもよい。
【００４９】
また、上記実施の形態では，ＰＯＳ端末２で会計処理を終えた商品の無線タグ有無を顧客自身が確認する場合を示したが、本発明はこの実施形態に限定されるものではなく、会計処理前の購入予定の商品に無線タグが付いているか否かを確認する場合も本発明を適用できるものである。  
この他、本発明の要旨を逸脱しない範囲で種々変形実施可能であるのは勿論である。
【図面の簡単な説明】
【００５０】
【図１】本発明の一実施の形態の販売店に構築されるシステム構成図。
【図２】同実施の形態において使用する商品マスタファイルに保存されるデータの構造を示す模式図。
【図３】同実施の形態において商品に取付けられている無線タグの一例とその無線タグに記憶されるデータの構造を示す模式図。
【図４】同実施の形態における無線タグの要部構成を示すブロック図。
【図５】同実施の形態における無線タグ読取装置の要部構成を示すブロック図。
【図６】同無線タグ読取装置のＨＤＤ装置に保存されるタグフォーマットテーブルのデータ構造を示す模式図。
【図７】同無線タグ読取装置のＲＡＭに形成されるタグデータメモリのエリア構成を示す模式図。
【図８】同無線タグ読取装置のＣＰＵが実行するメイン処理の要部手順を示す流れ図。
【図９】同無線タグ読取装置のディスプレイに表示される商品読取開始画面の一例を示す模式図。
【図１０】同無線タグ読取装置のディスプレイに表示されるタグデータ通知画面の一例を示す模式図。
【図１１】同無線タグ読取装置のディスプレイに表示されるタグ無し通知画面の一例を示す模式図。
【図１２】同無線タグ読取装置のプリンタにより印字されるデータの一例を示す模式図。
【符号の説明】
【００５１】
３…無線タグ読取装置、５…商品マスタファイル、７…無線タグ、８…無線タグ読取装置本体、９…無線タグリーダ、４０…タグフォーマットテーブル、５０…タグデータメモリ。
【図１】
2005339352.tif 000003
【図２】
2005339352.tif 000004
【図３】
2005339352.tif 000005
【図４】
2005339352.tif 000006
【図５】
2005339352.tif 000007
【図６】
2005339352.tif 000008
【図７】
2005339352.tif 000009
【図８】
2005339352.tif 000010
【図９】
2005339352.tif 000011
【図１０】
2005339352.tif 000012
【図１１】
2005339352.tif 000013
【図１２】
2005339352.tif 000014